(57)【要約】【課題】  複数の水辺設置部材を結合して人工魚礁、沈床、魚道、又は護岸部材とする場合に、水辺設置部材同士の結合をより強固に且つ作業効率良く行うとともに、水流や波の力等に拘わらず、各水辺設置部材のより安定した設置を可能にする手段を提供する【解決手段】  本発明に係る人工魚礁１４は、貫通孔２を形成した複数の自然石３、及びこれら自然石３の貫通孔２に挿通されてこれらを連結する鎖４を備えてなる水辺設置部材１と、この水辺設置部材１の鎖４の両端に取り付けられ、挿通孔２５を形成した略Ｕ字形状の本体１９及びこの本体１９の開口部２０を横切ってその両端部を連結する連結棒２１を備えたシャックル１６と、このシャックル１６の挿通孔２５を挿通されて水辺の地盤１７に打ち込まれるアンカーボルト１８と、を有するものである。【選択図】  図８
2008118936.tif 000002
【特許請求の範囲】
【請求項１】
貫通孔を形成した複数の自然石、及びこれら自然石の貫通孔に挿通されて複数の自然石を連結する鎖を備えてなる水辺設置部材と、この水辺設置部材の鎖の両端に取り付けられ、挿通孔を形成した略Ｕ字形状の本体及びこの本体の開口部を横切ってその両端部を連結する連結棒を備えたシャックルと、このシャックルの挿通孔を挿通されて水辺の地盤に打ち込まれるアンカーボルトと、を有することを特徴とする水辺設置部材を用いた人工魚礁。
【請求項２】
貫通孔を形成した複数の自然石、及びこれら自然石の貫通孔に挿通されて複数の自然石を連結する鎖を備えてなる水辺設置部材を、略Ｕ字形状の本体及びこの本体の開口部を横切ってその両端部を連結する連結棒を備えてなるシャックルを介して環状に結合し、この環状に結合された水辺設置部材を水辺に設置したことを特徴とする水辺設置部材を用いた人工魚礁。
【請求項３】
貫通孔を形成した複数の自然石、及びこれら自然石の貫通孔に挿通されて複数の自然石を連結する鎖を備えてなる水辺設置部材を、略Ｕ字形状の本体及びこの本体の開口部を横切ってその両端部を連結する連結棒を備えてなるシャックルを介して格子状に結合し、この格子状に結合された水辺設置部材を水辺に設置するとともに、形成された格子枠の中に自然石からなる石材を配設したことを特徴とする水辺設置部材を用いた沈床。
【請求項４】
貫通孔を形成した複数の自然石、及びこれら自然石の貫通孔に挿通されて複数の自然石を連結する鎖を備えてなる水辺設置部材を、挿通孔を形成した略Ｕ字形状の本体及びこの本体の開口部を横切ってその両端部を連結する連結棒を備えてなるシャックルを介してはしご状に結合し、河川を横断して設けられた構造物の上から覆うようにして前記はしご状に結合された水辺設置部材を設置し、前記シャックルの挿通孔を挿通させてアンカーボルトを水辺の地盤に打ち込んだことを特徴とする水辺設置部材を用いた魚道。
【請求項５】
貫通孔を形成した複数の自然石、及びこれら自然石の貫通孔に挿通されて複数の自然石を連結する鎖を備えてなる水辺設置部材を、挿通孔を形成した略Ｕ字形状の本体及びこの本体の開口部を横切ってその両端部を連結する連結棒を備えてなるシャックルを介して格子状に結合し、この格子状に結合された水辺設置部材を水面付近の地盤を覆うようにして設置するとともに、前記シャックルの挿通孔を挿通させてアンカーボルトを水辺の地盤に打ち込んだことを特徴とする水辺設置部材を用いた護岸部材。
【発明の詳細な説明】
【技術分野】
【０００１】
本発明は、単数又は複数個を組み合わせて河川や海等の水辺に設置することにより、人工魚礁、沈床、魚道、又は護岸部材として用いることができる水辺設置部材に関する。
【背景技術】
【０００２】
従来より、河川や海等の水底に人工的に隆起部を形成して魚介類の生息に適した環境とすることにより、魚介類を集め、漁場の造成や拡充を図るために人工魚礁が用いられる場合がある。このような人工魚礁としては、例えば、一定の形状に形成したコンクリートブロックを用いるものや、鋼材や古タイヤなどの廃材を一定の形状に組み立てたもの等がある。
【０００３】
しかしながら、上記のような従来のコンクリートブロックを用いた人工魚礁は、コンクリートの表面はアルカリ性が強く、また表面の凹凸も少ないために水草、海草、藻等が付着しにくく、貝類や小魚が集まりにくいために集魚効果が低いという問題がある。一方、廃材を用いた人工魚礁は、経年変化が激しく、また外観もあまり良くないという問題がある。更に、これらの人工魚礁は、重量も相当に重いものとなるので、運搬や設置が容易でなく、また一旦設置した後は移動が困難であるという問題もある。
【０００４】
また、水の流れにより河底の土砂が洗い流されることを防止するため、木材を格子状に枠組みし、その中に石を詰めた木工沈床を河底に沈設する場合があった。しかしながら、このような木工沈床は、木材が腐食し易いために定期的に交換作業を行う必要があり、手間がかかるという問題がある。
【０００５】
また、河川を横断して堰や堤等の構造物を設けた結果、上下流方向に魚が自力で遡上又は降下することができないような水位差が生じる場合には、その堰や堤等に隣接して傾斜の緩い水路等を設けて魚道とし、魚が自力で遡上又は降下できるようにする場合がある。しかしながら、このような水路を設ける工事は長期間を要し、費用も高くなるという問題がある。
【０００６】
また、河川や海等の岸周辺には、水の流れや波等により岸が浸食されることを防止するため、護岸を設ける場合がある。このような護岸は、岸周辺にコンクリートを打設したり、石を積み上げたりして構成される。しかしながら、コンクリートを打設する方法では、工事は簡易に行なうことができるが、岸は凹凸のない魚介類等の生育に適さない環境となる問題がある。一方、石を積み上げる方法では、工事の手間が非常に多くなり、工事に長期間を要し、費用も高くなるという問題がある。
【０００７】
このような問題を解決すべく、本出願人は、人工魚礁、沈床、魚道、又は護岸部材として使用可能な水辺設置部材（水底沈設部材）７０を従来提唱している（特許文献１参照）。図１７は、この水辺設置部材７０の構成を示す概略断面図である。水辺設置部材７０は、貫通孔７１を形成した複数の自然石７２と、これら自然石７２の貫通孔７１に挿通されて各自然石７２を連結する連結部材７３と、この連結部材７３の両端に結合された鉤状部材７４とを備えるものである。ここで、連結部材７３としては、自然石７２の重量や自然石７２との摩擦等によって切断することがないよう、金属製のワイヤーや鉄筋等を使用していた。
【０００８】
そして、この水辺設置部材７０を、その両端の鉤状部材７４同士を係止させることにより、又は鉤状部材７４を連結部材７３に係止させることにより複数個結合し、これを水底に配置して人工魚礁、沈床、魚道、又は護岸部材としていた。この水辺設置部材７０からなる人工魚礁は、藻等が付着しやすいため集魚効果が高く、経年変化も少なく、なおかつ運搬や設置等が容易である。また水辺設置部材７０からなる沈床は、長期間交換することなく使用することができる。更に、水辺設置部材７０からなる魚道や護岸は、短期間の工事で安価に設けることができる。
【０００９】
【特許文献１】特開２００２−３３０６６２号公報
【発明の開示】
【発明が解決しようとする課題】
【００１０】
しかし、従来の水辺設置部材７０を用いた人工魚礁、沈床、魚道、又は護岸部材では、水辺設置部材７０を構成する連結部材７３が金属製のワイヤーや鉄筋等であるため、水辺設置部材７０全体を所望の角度、例えば略直角や略Ｕ字型に折り曲げにくく、複数の水辺設置部材７０を結合する際に作業性が悪いという問題がある。また、前述のように水辺設置部材７０の結合は、その鉤状部材７４同士を係止させることにより、又は鉤状部材７４を連結部材７３に係止させることにより行うので、連結部材７３を折り曲げて水辺設置部材７０を結合した場合、連結部材７３が元の形状に戻ろうとする力が作用し、この力によって鉤状部材７４の係止が外れる場合がある。
【００１１】
また、水辺設置部材７０の水底への設置に際しては、その両端の鉤状部材７４を水辺の土中に埋め込むことによって移動不能に固定するのが通常であるが、水流や波の力等を受けてこの鉤状部材７４が土中から抜け出し、水辺設置部材７０の設置が不安定になるという問題もあった。
【００１２】
本発明は、このような問題に鑑みてなされたものであり、複数の自然石を連結部材で連結してなる水辺設置部材を、複数個結合して人工魚礁、沈床、魚道、又は護岸部材とする場合に、水辺設置部材同士の結合をより強固に且つ作業効率良く行うとともに、水流や波の力等に拘わらず、各水辺設置部材のより安定した設置を可能にする手段を提供する。
【課題を解決するための手段】
【００１３】
上記目的を達成するための請求項１記載の水辺設置部材を用いた人工魚礁は、貫通孔を形成した複数の自然石、及びこれら自然石の貫通孔に挿通されて複数の自然石を連結する鎖を備えてなる水辺設置部材と、この水辺設置部材の鎖の両端に取り付けられ、挿通孔を形成した略Ｕ字形状の本体及びこの本体の開口部を横切ってその両端部を連結する連結棒を備えたシャックルと、このシャックルの挿通孔を挿通されて水辺の地盤に打ち込まれるアンカーボルトと、を有するものである。
【００１４】
請求項２記載の水辺設置部材を用いた人工魚礁は、貫通孔を形成した複数の自然石、及びこれら自然石の貫通孔に挿通されて複数の自然石を連結する鎖を備えてなる水辺設置部材を、略Ｕ字形状の本体及びこの本体の開口部を横切ってその両端部を連結する連結棒を備えてなるシャックルを介して環状に結合し、この環状に結合された水辺設置部材を水辺に設置したものである。
【００１５】
請求項３記載の水辺設置部材を用いた沈床は、貫通孔を形成した複数の自然石、及びこれら自然石の貫通孔に挿通されて複数の自然石を連結する鎖を備えてなる水辺設置部材を、略Ｕ字形状の本体及びこの本体の開口部を横切ってその両端部を連結する連結棒を備えてなるシャックルを介して格子状に結合し、この格子状に結合された水辺設置部材を水辺に設置するとともに、形成された格子枠の中に自然石からなる石材を配設したものである。
【００１６】
請求項４記載の水辺設置部材を用いた魚道は、貫通孔を形成した複数の自然石、及びこれら自然石の貫通孔に挿通されて複数の自然石を連結する鎖を備えてなる水辺設置部材を、挿通孔を形成した略Ｕ字形状の本体及びこの本体の開口部を横切ってその両端部を連結する連結棒を備えてなるシャックルを介してはしご状に結合し、河川を横断して設けられた構造物の上から覆うようにして前記はしご状に結合された水辺設置部材を設置し、前記シャックルの挿通孔を挿通させてアンカーボルトを水辺の地盤に打ち込んだものである。
【００１７】
請求項５記載の水辺設置部材を用いた護岸部材は、貫通孔を形成した複数の自然石、及びこれら自然石の貫通孔に挿通されて複数の自然石を連結する鎖を備えてなる水辺設置部材を、挿通孔を形成した略Ｕ字形状の本体及びこの本体の開口部を横切ってその両端部を連結する連結棒を備えてなるシャックルを介して格子状に結合し、この格子状に結合された水辺設置部材を水面付近の地盤を覆うようにして設置するとともに、前記シャックルの挿通孔を挿通させてアンカーボルトを水辺の地盤に打ち込んだものである。
【発明の効果】
【００１８】
本発明に係る水辺設置部材を用いた人工魚礁は、複数の自然石を連結する部材として鎖を用いたので、水辺設置部材を自在に折り曲げやすい。従って、河川や海等の水底に沿わせるようにして、人工魚礁を容易に設置することができる。また、水辺設置部材の両端を、シャックルとアンカーボルトを用いて水辺に固定したので、水辺設置部材の両端を水辺の土中に埋め込んで固定するのと比べて、より確実に水辺に固定することができる。これにより、水流や波の力に拘わらず、人工魚礁の安定した設置が可能となる。
【００１９】
また、本発明に係る水辺設置部材を用いた人工魚礁は、複数の自然石を鎖で連結して水辺設置部材を構成したので、水辺設置部材を自在に折り曲げやすく、環状に結合する作業を効率良く行うことができる。また、シャックルを介して水辺設置部材を環状に結合したので、水辺設置部材をその両端に設けた鉤状部材を用いて環状に結合するのと比べて、より強固に結合させることができ、水流や波の力に拘わらず人工魚礁の安定した設置が可能となる。
【００２０】
また、本発明に係る水辺設置部材を用いた沈床は、複数の自然石を鎖で連結して水辺設置部材を構成したので、水辺設置部材を自在に折り曲げやすく、格子状に結合する作業を効率良く行うことができる。また、シャックルを介して水辺設置部材を格子状に結合したので、水辺設置部材をその両端に設けた鉤状部材を用いて格子状に結合するのと比べて、より強固に結合させることができ、水流や波の力に拘わらず沈床の安定した設置が可能となる。
【００２１】
また、本発明に係る水辺設置部材を用いた魚道は、複数の自然石を鎖で連結して水辺設置部材を構成したので、水辺設置部材を自在に折り曲げやすく、はしご状に結合する作業を効率良く行うことができるとともに、河川の水底に沿わせるようにして魚道を容易に設置することができる。また、結合した水辺設置部材をシャックルとアンカーボルトを用いて水辺に固定したので、水辺設置部材の両端を水辺の地盤に埋め込んで固定するのと比べて、より確実に水辺に固定することができる。これにより、水流や波の力に拘わらず、魚道の安定した設置が可能となる。
【００２２】
また、本発明に係る水辺設置部材を用いた護岸部材は、複数の自然石を鎖で連結して水辺設置部材を構成したので、水辺設置部材を自在に折り曲げやすく、格子状に結合する作業を効率良く行うことができるとともに、水面付近の地盤を覆うようにして護岸部材を容易に設置することができる。また、結合した水辺設置部材をシャックルとアンカーボルトを用いて水辺に固定したので、水辺設置部材の両端を水辺の地盤に埋め込んで固定するのと比べて、より確実に水辺に固定することができる。これにより、水流や波の力に拘わらず、護岸部材の安定した設置が可能となる。
【発明を実施するための最良の形態】
【００２３】
以下、本発明の実施例に係る水辺設置部材について図面に基づいて説明する。図１及び図２は、本発明の第１実施例に係る水辺設置部材１を示す図であり、図１は概略平面図、図２は概略断面図である。本実施例に係る水辺設置部材１は、貫通孔２を形成した複数の自然石３と、各自然石３の貫通孔２に挿通されてこれら自然石３を連結する鎖４と、を備えるものである。
【００２４】
自然石３には、天然の岩石を使用する。この自然石３の大きさは、小さすぎる場合には水の流れに流され易くなり、大きすぎる場合には運搬、設置及び移動等が困難になることから、直径が約１０〜８０ｃｍ程度のものを使用するのと好適である。ただし、自然石３の大きさは必ずしもこれに限定されるものではなく、設置場所や用途等に合わせて適当な大きさを選択して使用することが可能である。
【００２５】
自然石３の形状については特に限定されることなく、様々な形状の岩石を使用することができる。なお、本発明に係る水底沈設部材を後述する人工魚礁として用いる場合には、表面に凹凸が多い岩石の方が水草や海草等が付着し易くなり好適である。但し、本実施例に係る水辺設置部材１では、隣接する自然石３同士の接触によって自然石３には経時的に凹凸が形成されるため、表面に凹凸のない比較的滑らかな表面を有する岩石を自然石３として使用することも可能である。
【００２６】
水辺設置部材１の１個あたりに使用する自然石３の数量についても特に制約はなく、鎖４の長さに応じて２個以上であれば何個でも連結することが可能である。ただし、自然石３の数量が多すぎる場合は、自然石３の大きさが大きすぎる場合と同様、運搬、設置及び移動等が困難になるので、通常は５〜２０個程度とし、必要に応じて適宜複数個の水辺設置部材１を結合して使用すると好適である。
【００２７】
自然石３には、それぞれに貫通孔２が形成される。この貫通孔２は、鎖４をその中に挿通するために設けられるものであり、その内径は鎖４を挿通可能な大きさである。自然石３における貫通孔２が形成される位置は、通常は自然石３の中心を通る位置とする。ただし、貫通孔２が形成される位置は必ずしもこれに限定されるものではなく、自然石３の端部付近に形成することも可能である。
【００２８】
鎖４は、自然石３の貫通孔２に挿通されて複数の自然石３を連結するものである。このような鎖４としては、自然石３の重量や自然石３との摩擦等によって破壊されることがない材質のものを使用し、特に、耐腐食性及び耐衝撃性等を考慮してステンレス製の鎖４を使用すると好適である。この鎖４の長さは、使用するすべての自然石３を連結可能であれば任意に設定可能であるが、若干長めにした方が、自然石３同士の間隔を任意に広げることができ、また、各自然石の３間で鎖４が露呈することにより自在に折り曲げやすくなるので好適である。尚、鎖４に代えて、金属製の棒状部材やワイヤーや網等で自然石３を連結することも可能であるが、鎖４の方が棒状部材やワイヤー等と比べて自在に折り曲げやすく、複数の水辺設置部材１を結合する作業や、結合した水辺設置部材１を水辺に設置する作業を行いやすい、という利点がある。
【００２９】
次に、本発明の第２実施例に係る水辺設置部材について説明する。図３及び図４は第２実施例に係る水辺設置部材５を示す図であり、図３は概略平面図、図４は概略断面図である。本実施例に係る水辺設置部材５は、貫通孔６を形成した複数の自然石７と、各自然石７の間に配置された管状部材８と、各自然石７の貫通孔６及び管状部材８に挿通されてこれらを連結する鎖９と、を備えるものである。
【００３０】
本実施例に係る水辺設置部材５は、第１実施例に係る水辺設置部材１と比較して、各自然石７の間に管状部材８が配置されている点が異なる。この管状部材８は、各自然石７同士の間隔を一定に保つために各自然石７の間に配置される部材であり、自然石７を連結する鎖９を挿通可能な内径を有する管状の部材を使用する。管状部材８の長さについては特に制限はないが、通常は自然石７の直径の半分から２倍程度の長さとする。管状部材８の材質は、耐腐食性を考慮して例えばステンレスや合成樹脂等を使用すると好適である。このような管状部材８は、水辺設置部材５を人工魚礁として用いる場合に、表面が平滑であるために水草や海草は付着しにくいが、藻は付着し易い。従って、水辺設置部材５を人工魚礁として用いる場合に、水草や海草が付着し易い自然石７と交互にこの管状部材８を配置すれば、水辺設置部材５には水草や海草や藻がバランス良く付着し、様々な魚介類を集めることができるので特に好適である。尚、本実施例に係る水辺設置部材５を構成する自然石７及び鎖９は、第１実施例に係る水辺設置部材１を構成する自然石３及び鎖９と同じであるため、ここでは説明を省略する。
【００３１】
次に、本発明の第３実施例に係る水辺設置部材について説明する。図５及び図６は第３実施例に係る水辺設置部材１０を示す図であり、図５は概略平面図、図６は概略断面図である。本実施例に係る水辺設置部材１０は、貫通孔１１を形成した単一の自然石１２と、この自然石１２の貫通孔１１に挿通された鎖１３と、を備えるものである。この水辺設置部材１０は、第１実施例に係る水辺設置部材１と比較して、自然石１２の数量が１個である点、及び鎖１３の長さが自然石１２の数量に応じて短い点で異なるが、それ以外の構成は水辺設置部材１と同じであるため、ここでは説明を省略する。
【００３２】
次に、本発明に係る水辺設置部材を用いた人工魚礁について説明する。この人工魚礁は、前記第１乃至第３実施例に係る水辺設置部材１，５，１０のうちの１種以上を、単独で又は複数個結合して水底に沈設したものである。以下、このような人工魚礁の具体例について説明する。
【００３３】
図７及び図８は、第１実施例に係る人工魚礁１４を示す図であり、図７は概略平面図、図８は図７におけるＡ−Ａ方向矢視図である。本実施例に係る人工魚礁１４は、主に比較的浅い河川において使用されるものであって、図７に示すように、河川１５の水の流れ方向に向かって所定間隔毎に、その長手方向を水の流れ方向に直交させるようにして設けられる。このように人工魚礁１４を設けることにより、水の流れ方向に階段状の落差を形成することができる。これにより、水中の酸素の量が増加し、苔や藻が増加して魚や小動物の生息に適した環境とすることができる。
【００３４】
各人工魚礁１４は、図８に示すように、河川１５の水底に沈設された前記第１実施例に係る水辺設置部材１と、この水辺設置部材１の両端部にそれぞれ取り付けられた一対のシャックル１６と、各シャックル１６を挿通されて河川１５の地盤１７に打ち込まれる一対のアンカーボルト１８と、を備えてなるものである。ここで、図９は、シャックル１６の構成を示す概略斜視図である。シャックル１６は、略Ｕ字形状の本体１９と、この本体１９の開口部２０を横切ってその両端部を連結する連結ボルト（連結棒）２１とを具備している。本体１９には、その両端部に、連結ボルト２１を挿通させるためのボルト挿通孔２２と、連結ボルト２１の先端の雄ねじ部２３を螺合させるためのネジ孔２４とがそれぞれ形成されるとともに、鉛直方向に向かって本体１９を貫通するようにして上下一対の挿通孔２５がそれぞれ形成されている。一方、アンカーボルト１８は、図８に示すように、長尺な金属棒の一端２６が先鋭に形成されるとともに、他端２７がフック状に形成されたものであり、その太さは、シャックル１６の挿通孔２５に挿通可能な程度である。尚、本体１９の形状は略Ｕ字形状に限られず任意の形状とすることができる。また、連結棒を本体１９に固定する手段としては、本実施例のように連結棒たる連結ボルト２１を本体１９に螺合する構成以外に、例えば本体１９に挿通させた状態の連結棒に図示しないピン等を差し込むことにより、本体１９から脱落不能に固定することも可能である。
【００３５】
このように構成される人工魚礁１４の設置に際しては、まず、水辺設置部材１の両端に、シャックル１６をそれぞれ取り付ける。より詳細には、図８及び図９に示すように、水辺設置部材１を構成するリング状の鎖４に対し、連結ボルト２１を取り外した状態の本体１９を挿通させた後、連結ボルト２１を本体１９のボルト挿通孔２２を通してネジ孔２４に螺合させる。これにより、鎖４の一端に、シャックル１６が脱落不能に取り付けられる。次に、両端にシャックル１６を取り付けた水辺設置部材１を、河川１５の水底に沿わせるようにして配置する。この時、前述のように水辺設置部材を構成する鎖４は自在に折り曲げやすいので、水底の形状が複雑であっても容易に鎖４を配置することができる。次に、アンカーボルト１８を用いて水辺設置部材１の両端を河川１５の地盤１７にそれぞれ固定する。より詳細には、図８及び図９に示すように、シャックル１６に形成された上下一対の挿通孔２５に対し、アンカーボルト１８をその先鋭な一端２６から挿通させた後、水面２８付近の地盤１７に打ち込む。ここで、前述のようにアンカーボルト１８の他端２７はフック状に形成されているため、この他端２７からシャックル１６が脱落することはない。これにより、水流や波の力等に拘わらず、人工魚礁１４の安定した設置が可能となる。
【００３６】
尚、河川１５の流れ方向に向かって人工魚礁１４を設ける間隔や数量等は、本実施例に限られず、水の流れの速さや河川１５の幅等に合わせて適宜変更することが可能である。また、本実施例では人工魚礁１４を河川１５に設置する場合を例に説明したが、海や湖等の浅瀬に設置することももちろん可能である。
【００３７】
図１０は、第２実施例に係る人工魚礁２９を示す概略平面図である。本実施例に係る人工魚礁２９は、主に河川１５の水底に沈設されるものであって、２個の前記第１実施例に係る水辺設置部材１ａ，１ｂが、２個のシャックル１６ａ，１６ｂを介して環状に結合されたものである。より詳細には、図９及び図１０に示すように、一方のシャックル１６ａを構成する本体１９と連結ボルト２１のうち、本体１９が、一方の水辺設置部材１ａを構成するリング状の鎖４に挿通される一方、連結ボルト２１が、他方の水辺設置部材１ｂを構成する鎖４に挿通される。同様に、他方のシャックル１６ｂを構成する本体１９と連結ボルト２１のうち、本体１９が、他方の水辺設置部材１ｂを構成する鎖４に挿通される一方、連結ボルト２１が、一方の水辺設置部材１ａを構成する鎖４に挿通される。この時、前述のように水辺設置部材１ａ，１ｂを構成する鎖４は自在に折り曲げやすいので、図１０に示すように鎖４を半円状に湾曲させることにより、人工魚礁２９全体として容易に環状を形成することができる。このように、シャックル１６を介して複数の水辺設置部材１を結合したことにより、水流や波の力等を受けて水辺設置部材１の結合が解けることがなく、人工魚礁２９の安定した設置が可能となる。
【００３８】
尚、本実施例では２個の水辺設置部材１ａ，１ｂで人工魚礁２９を構成したが、水辺設置部材１の数量は本実施例に限定されず、河川の大きさ等に合わせて任意の数の水辺設置部材１で人工魚礁２９を構成することが可能である。例えば、１個の水辺設置部材１を円弧状に湾曲させて、その両端部を１個のシャックル１６にそれぞれ取り付けることで環状に結合することも可能であるし、多数個の水辺設置部材１を多数個のシャックル１６を介して環状に結合することも可能である。また、水辺設置部材１を配置する形状は環状に限定されるものではなく、図に詳細は示さないが、例えば四角形、コ字形、十字形、格子形等様々な形状に配置することが可能である。
【００３９】
図１１は、第３実施例に係る人工魚礁３０を示す概略斜視図である。本実施例に係る人工魚礁は、主に海底に沈設されるものであって、前記第１実施例に係る水辺設置部材１を１個又は複数個結合して、その鎖４の両端にシャックル１６をそれぞれ取り付けたものを、コンクリート製の既存の人工魚礁３１の周囲に所望の数だけ配置したものである。コンクリート製の既存の人工魚礁３１は、アルカリ性が強くまた表面の凹凸も少ないために藻や海草等が付着しにくく、貝類や小魚が集まりにくいが、このように周囲に水辺設置部材１を配置することにより、水辺設置部材１を構成する自然石３に藻や海草が豊富に付着し、貝類や小魚の生息に適した環境とすることができ、大型の魚も集まって来やすくなるので、人工魚礁３１の集魚効果を高めることができる。尚、既存の人工魚礁３１の形状は図１１に示す立方体形状に限られず、その材質はコンクリート製に限られないのはもちろんのことである。また、前述のように水辺設置部材１を構成する鎖４は自在に折り曲げやすいので、既存の人工魚礁３１の形状に拘わらず、その周囲に水辺設置部材１を容易に配置することができる。更に、鎖４の両端にシャックル１６をそれぞれ取り付けたことにより、自然石３が鎖４から抜け落ちることを防止することができる。また、この水辺設置部材１を輸送する際に、クレーンの先端等に設けられたフックをシャックル１６に通すことによって、水辺設置部材１をクレーンの先端に脱落不能に取り付けることができるので、大量の水辺設置部材１を同時に輸送することができるという利点もある。
【００４０】
図１２は、第４実施例に係る人工魚礁３２を示す概略斜視図である。本実施例に係る人工魚礁３２は、主に海において使用されるものであって、複数個の前記第１実施例に係る水辺設置部材１を格子状に結合したものを、水底に既設の複数の人工魚礁３３の上を覆うように配置したものである。ここで、格子状に結合した各水辺設置部材１の間には、大型の魚等が通り抜けられる程度の隙間を確保すると好適である。このような人工魚礁３２によれば、前述の第３実施例に係る人工魚礁３０と比較して、より大型の人工魚礁を容易に構成することが可能となる。尚、各水辺設置部材１の結合の態様は格子状に限られず、任意の態様に結合したものを同様に配置して人工魚礁３２を構成することが可能である。また、本実施例では、既設の人工魚礁３３として四脚の異形ブロックにより構成されたものを例に説明しているが、これに限定されず、従来より既存の様々な人工魚礁を用いることができるのはもちろんのことである。また、前述のように水辺設置部材１を構成する鎖４は自在に折り曲げやすいので、既存の人工魚礁３３の形状に拘わらず、その上に水辺設置部材１を容易に配置することができる。
【００４１】
以上、第１実施例から第４実施例に係る人工魚礁１４，２９，３０，３２では、説明の便宜上、第１実施例に係る水辺設置部材１のみで人工魚礁１４，２９，３０，３２を構成したが、これに限られず、第２実施例に係る水辺設置部材５や第３実施例に係る水辺設置部材１０のみで人工魚礁を構成したり、或いは各実施例に係る水辺設置部材１，５，１０を混在させて人工魚礁１４，２９，３０，３２を構成することも可能である。
【００４２】
次に、本発明に係る水辺設置部材１を用いた沈床について説明する。この沈床は、主に河川の水底の洗掘を防止するためのものであって、前記第１乃至第３実施例に係る水辺設置部材１，５，１０のうちの１種以上を、複数個格子状に結合して水底に沈設するとともに、形成された格子枠の中に石材を配置したものである。
【００４３】
図１３は、本実施例に係る沈床３４を示す概略斜視図である。沈床３４は、格子状に配置された複数の前記第１実施例に係る水辺設置部材１と、各水辺設置部材１を互いに結合する複数のシャックル３５と、各水辺設置部材１によって形成された格子枠３６の中に配設された石材３７と、を備えてなるものである。ここで、水辺設置部材１は、縦方向に配置された長尺な縦方向水辺設置部材３８と、横方向に配置された短尺な横方向水辺設置部材３９とから構成される。また、シャックル３５は、図９に示す前記シャックル１６と同じ構成であって、縦方向水辺設置部材３８の長手方向に沿って所定間隔毎に配設されている。この複数のシャックル３５のうち、縦方向水辺設置部材３８の長手方向中間部に配設されたシャックル３５は、その本体１９に形成された図９に示す一対の挿通孔２５に対し、縦方向水辺設置部材３８を構成する鎖４がそれぞれ挿通されるとともに、その連結ボルト２１が、横方向水辺設置部材３９を構成するリング状の鎖４に挿通されることにより、縦方向水辺設置部材３８と横方向水辺設置部材３９を結合している。また、縦方向水辺設置部材３８の長手方向両端部にそれぞれ配設されたシャックル３５は、その連結ボルト２１が、縦方向水辺設置部材３８を構成するリング状の鎖４に挿通されるとともに、その本体１９が、横方向水辺設置部材３９を構成する鎖４に挿通されることにより、縦方向水辺設置部材３８と横方向水辺設置部材３９を結合している。このように、縦方向水辺設置部材３８と横方向水辺設置部材３９の結合にシャックル３５を用いたことにより、水流や波の力等を受けても両者の結合が解けることがなく、沈床３４の安定した設置が可能となる。
【００４４】
尚、縦方向水辺設置部材３８の長手方向両端部に配設されるシャックル１６については、その本体１９を、縦方向水辺設置部材３８を構成する鎖４に挿通させるとともに、その連結ボルト２１を、横方向水辺設置部材３９を構成する鎖４に挿通させることも可能である。また、縦方向水辺設置部材３８の長手方向中間部に配設されたシャックル１６に代えて、針金等を用いて締結することによって横方向水辺設置部材３９を縦方向水辺設置部材３８に結合させることも可能である。
【００４５】
前記石材３７は、格子状に結合された水辺設置部材１と相俟って、水底の洗掘防止効果を高めるためのものである。石材３７の材質や大きさは特に限定されないが、本実施例では割栗石や玉石等の自然石を用いている。これにより、石材３７にぶつかった水が回転して水中に酸素が入りやすく、水質の浄化につながるという利点がある。更に、玉石のように角の取れて丸くなったものを用いれば、藻が付きやすく、集魚効果も期待できるという利点がある。尚、本実施例では、前記第１実施例に係る水辺設置部材１のみで沈床３４を構成したが、これに限られず、第２実施例に係る水辺設置部材５や第３実施例に係る水辺設置部材１０のみで沈床３４を構成したり、或いは各実施例に係る水辺設置部材１，５，１０を混在させて沈床３４を構成することも可能である。
【００４６】
次に、本発明に係る水辺設置部材１を用いた魚道について説明する。この魚道は、河川を横断して堰や堤等の構造物が設けられ、上下流方向に魚が自力で遡上又は降下することができないような水位差が生じている場合において、その堰や堤等の構造物の一部分に傾斜の緩い水路を設けることにより、魚が自力で遡上又は降下できるようにするためのものであって、前記第１乃至第３実施例に係る水辺設置部材１，５，１０のうちの１種以上を、複数個はしご状に結合して水底に沈設したものである。
【００４７】
図１４は、本実施例に係る魚道４０を示す概略縦断面図である。魚道４０は、河川４１の水底に沈設された水辺設置部材群４２と、この水辺設置部材群４２の両端部にそれぞれ取り付けられた固定用シャックル４３と、各固定用シャックル４３を挿通されて河川４１の地盤４４に打ち込まれたアンカーボルト４５と、を備えてなるものである。ここで、図１５は、水辺設置部材群４２の構成を示す概略平面図である。水辺設置部材群４２は、縦方向に配置された長尺な縦方向水辺設置部材４６と、横方向に配置された横方向水辺設置部材４７とが、結合用シャックル４８を介してはしご状に結合されることにより構成される。本実施例では、縦方向水辺設置部材４６として前記第１実施例に係る水辺設置部材１を、横方向水辺設置部材４７として前記第３実施例に係る水辺設置部材１０をそれぞれ使用している。また、結合用シャックル４８は、図９に示す前記シャックル１６と同じ構成であって、その本体１９に形成された一対の挿通孔２５に対し、縦方向水辺設置部材４６を構成する鎖４がそれぞれ挿通されるとともに、その連結ボルト２１が、横方向水辺設置部材４７を構成するリング状の鎖４に挿通されることにより、縦方向水辺設置部材４６と横方向水辺設置部材４７を結合している。このように、縦方向水辺設置部材４６と横方向水辺設置部材４７の結合に結合用シャックル４８を用いたことにより、水流や波の力等を受けても両者の結合が解けることがなく、魚道４０の安定した設置が可能となる。また、固定用シャックル４３及びアンカーボルト４５は、図９に示す前記シャックル１６及び図８に示す前記アンカーボルト１８と同じ構成であるため、その説明を省略する。
【００４８】
尚、本実施例では、第１実施例に係る水辺設置部材１と第３実施例に係る水辺設置部材１０で魚道４０を構成したが、これに限られず、各実施例に係る水辺設置部材１，５，１０のみで魚道４０を構成したり、或いは各実施例に係る水辺設置部材１，５，１０を混在させて魚道４０を構成することも可能である。また、結合用シャックル４８に代えて、図示しない針金等で締結することによって、横方向水辺設置部材４７を縦方向水辺設置部材４６に結合させることも可能である。
【００４９】
このように構成される魚道４０の設置に際しては、まず、水辺設置部材群４２を構成する縦方向水辺設置部材４６の両端に、固定用シャックル４３をそれぞれ取り付ける。より詳細には、図９及び図１４に示すように、縦方向水辺設置部材４６を構成する鎖４に対し、連結ボルト２１を取り外した状態の本体１９を挿通させた後、連結ボルト２１を本体１９のボルト挿通孔２２を通してネジ孔２４に螺合させる。これにより、鎖４の一端に固定用シャックル４３が脱落不能に取り付けられる。次に、この水辺設置部材群４２を、河川４１を横断して設けられた堰や堤等の構造物４９の一部を覆うように配置する。この時、前述のように各水辺設置部材１，１０を構成する鎖４は自在に折り曲げやすいので、構造物４９の形状が複雑であっても水辺設置部材群４２を容易に配置することができる。次に、アンカーボルト４５を用いて水辺設置部材群４２を河川４１の地盤４４に固定する。より詳細には、図９及び図１４に示すように、固定用シャックル４３に形成された上下一対の挿通孔２５に対し、アンカーボルト４５をその先鋭な一端５０側から挿通させた後、水底の地盤４４に打ち込む。ここで、前述のようにアンカーボルト４５の他端５１はフック状に形成されているため、この他端側から固定用シャックル４３が脱落することはない。これにより、水流や波の力等に拘わらず、水辺設置部材群４２の安定した設置が可能となる。
【００５０】
このように、構造物４９の一部を水辺設置部材群４２で覆うことにより、この水辺設置部材群４２の設置位置では水の流れが緩やかになり、魚が自力で遡上又は降下可能な魚道４０が形成される。従って、既存の構造物４９に変更を加えることなく、短期間の工事で安価に魚道４０を設けることができる。
【００５１】
次に、本発明に係る水辺設置部材１を用いた護岸部材について説明する。この護岸部材は、海岸や川岸の浸食を防止するためのものであって、前記第１乃至第３実施例に係る水辺設置部材１，５，１０のうちの１種以上を、複数個格子状に結合して岸近傍の水辺に設置したものである。
【００５２】
図１６は、本実施例に係る護岸部材５２を示す概略縦断面図である。護岸部材５２は、海岸や川岸の水面５３付近の地盤５４を覆って敷設された石材５５と、この石材５５の上に設置された水辺設置部材群５６と、この水辺設置部材群５６の両端部に設けられたシャックル５７を挿通されて海岸や川岸の地盤５４に打ち込まれたアンカーボルト５８と、を備えてなるものである。ここで、石材５５は、水辺設置部材群５６と相俟って、水面５３付近の地盤５４が浸食されるのを防止するためのものである。この石材５５は、前記沈床３４で使用した図１３に示す石材３７と同じ構成及び効果を有するものであるため、その説明を省略する。また、水辺設置部材群５６は、図１６に詳細は示さないが、図１３に示す前記沈床３４と同様に、縦方向水辺設置部材４６と横方向水辺設置部材４７とがシャックル５７を介し或いは針金等を用いた締結により、格子状に結合されたものである。また、シャックル５７及びアンカーボルト５８は、図９に示す前記シャックル１６及び図８に示す前記アンカーボルト１８と同じ構成であるため、その説明を省略する。
【００５３】
このように構成される護岸部材５２の設置に際しては、図１６に示すように、まず、水流や波による浸食を受けやすい水面５３付近に、水底５９の地盤５４から岸６０の地盤５４を覆うようにして石材５５を敷設する。次に、この石材５５の上に水辺設置部材群５６を配置する。この時、前述のように各水辺設置部材群５６を構成する鎖４は自在に折り曲げやすいので、水底５９や岸６０の地形が複雑であっても水辺設置部材群５６を容易に配置することができる。そして、アンカーボルト５８を用いて水辺設置部材群５６を水底５９や岸６０の地盤５４に固定する。より詳細には、図９及び図１６に示すように、シャックル５７に形成された上下一対の挿通孔２５に対し、アンカーボルト５８をその先鋭な一端６１側から挿通させた後、水底５９の地盤５４や岸６０の地盤５４に打ち込む。これにより、水流や波の力等に拘わらず、護岸部材５２の安定した設置が可能となる。
【００５４】
尚、石材５５は本発明に係る護岸部材５２に必須の構成要件ではなく、水面５３付近の地盤５４の上に、水辺設置部材群５６を直接配置することも可能である。また、本実施例では、水辺設置部材群５６を、水底５９の地盤５４から岸６０の地盤５４に渡って設けているが、これに限られず、例えば水面５３付近の水底５９の地盤５４のみを覆って水辺設置部材群５６を配置したり、水面５３付近の岸６０の地盤５４のみを覆って水辺設置部材群５６を配置することも可能である。
【産業上の利用可能性】
【００５５】
本発明に係る人工魚礁、沈床、魚道は、その全体が水没した配置態様だけでなく、一部が水没し他の一部が水面から外部に露呈するようにして配置することも可能である。
【図面の簡単な説明】
【００５６】
【図１】本発明の第１実施例に係る水辺設置部材１を示す概略平面図。
【図２】本発明の第１実施例に係る水辺設置部材１を示す概略断面図。
【図３】本発明の第２実施例に係る水辺設置部材５を示す概略平面図。
【図４】本発明の第２実施例に係る水辺設置部材５を示す概略断面図。
【図５】本発明の第３実施例に係る水辺設置部材１０を示す概略平面図。
【図６】本発明の第３実施例に係る水辺設置部材１０を示す概略断面図。
【図７】第１実施例に係る人工魚礁２９を示す概略平面図。
【図８】図７におけるＡ−Ａ方向矢視図。
【図９】シャックル５７の構成を示す概略斜視図。
【図１０】第２実施例に係る人工魚礁２９を示す概略平面図。
【図１１】第３実施例に係る人工魚礁３０を示す概略斜視図。
【図１２】第４実施例に係る人工魚礁３２を示す概略斜視図。
【図１３】沈床３４を示す概略斜視図。
【図１４】魚道４０を示す概略縦断面図。
【図１５】水辺設置部材群５６を示す概略平面図。
【図１６】護岸部材５２を示す概略縦断面図。
【図１７】従来例に係る水辺設置部材７０の構成を示す概略断面図。
【符号の説明】
【００５７】
１，５，１０  水辺設置部材
２  貫通孔
３  自然石
４  鎖
１４  人工魚礁
１６  シャックル
１７  地盤
１８  アンカーボルト
１９  本体
２０  開口部
２１  連結ボルト
２５  挿通孔
３４  沈床
３６  格子枠
３７  石材
４０  魚道
４９  構造物
５２  護岸部材
【図１】
2008118936.tif 000003
【図２】
2008118936.tif 000004
【図３】
2008118936.tif 000005
【図４】
2008118936.tif 000006
【図５】
2008118936.tif 000007
【図６】
2008118936.tif 000008
【図７】
2008118936.tif 000009
【図８】
2008118936.tif 000010
【図９】
2008118936.tif 000011
【図１０】
2008118936.tif 000012
【図１１】
2008118936.tif 000013
【図１２】
2008118936.tif 000014
【図１３】
2008118936.tif 000015
【図１４】
2008118936.tif 000016
【図１５】
2008118936.tif 000017
【図１６】
2008118936.tif 000018
【図１７】
2008118936.tif 000019